Podtech/llm-jp-corpus-v4-ja_patent huggingface dataset:
(57)【要約】      （修正有）【課題】背当て部分からの張出部（つまみ皮）がなくても装着することができるランドセル用背当てパッドを提供する。【解決手段】ランドセル用背当てパッドは、パッド本体部２の左右の各縁部に、テープ状の固定紐３をそれぞれ備える。固定紐３の先端部には、面ファスナー５を備え付けることなどができ、固定紐３の先端部をダルマかん６などに結合することによりランドセル７に装着することができる。【選択図】図３
0003175696.tif 000002
【実用新案登録請求の範囲】
【請求項１】
ランドセルの背当てに装着するランドセル用背当てパッドにおいて、パッド本体部の左右の各縁部に、テープ状の固定紐をそれぞれ備えたランドセル用背当てパッド。
【請求項２】
固定紐の先端部に面ファスナーを備え付けた請求項１に記載のランドセル用背当てパッド。
【請求項３】
請求項１又は２に記載のランドセル用背当てパッドを用い、固定紐の先端部をダルマかんに結合させて装着したランドセル。
【考案の詳細な説明】
【技術分野】
【０００１】
本考案は、ランドセルの背当てに装着するランドセル用背当てパッドに関する。
【背景技術】
【０００２】
従来の背当てパッド８としては、例えば、図５に示すように、上部に、背かんを挿入する横長状の孔部９を有し、下部に、パッド上に架け渡した止め紐１０を有するものがあり、図６に示すように、止め紐１０を、ランドセル１１の背当て１１ａ部分から大襠１１ａ側及び底襠１１ｂ側に張り出した張出部（つまみ皮）１２の角部などに引っ掛けて、背当てパッド８をランドセル１１の背当て１１ａに装着するものである（下記特許文献１参照）。
【先行技術文献】
【特許文献】
【０００３】
【特許文献１】実用新案登録第３１６１５６０号公報
【考案の概要】
【考案が解決しようとする課題】
【０００４】
最近では、背当て部分から大襠側及び底襠側に張り出した張出部（つまみ皮）を形成してないランドセルもあり、このようなランドセルに対して上記背当てパッドでは、止め紐を引っ掛けることができず、装着することができない。
【０００５】
そこで、本考案の目的は、背当て部分からの張出部（つまみ皮）がなくても装着することができるランドセル用背当てパッドを提供することにある。
【課題を解決するための手段】
【０００６】
本考案のランドセル用背当てパッドは、ランドセルの背当てに装着するランドセル用背当てパッドにおいて、パッド本体部の左右の各縁部に、テープ状の固定紐をそれぞれ備えたことを特徴とするものである。
【０００７】
前記背当てパッドにおいて、固定紐の先端部に面ファスナーを備え付けることが好ましい。
【０００８】
本考案のランドセル用背当てパッドは、固定紐の先端部をランドセルのダルマかんなどに結合することにより固定できるため、背当て部分からの張出部（つまみ皮）がないランドセルに対しても装着することができる。
【図面の簡単な説明】
【０００９】
【図１】本考案の一実施形態の背当てパッドの正面図である。
【図２】図１の背当てパッドの固定紐の先端部分の拡大図である。
【図３】図１の背当てパッドの固定紐をランドセルのダルマかんに結合する方法の一例を示した部分拡大斜視図である。
【図４】図１の背当てパッドをランドセルに装着した状態の一例を示した底面図である。
【図５】従来の背当てパッドの一例の背面図である。
【図６】図５の背当てパッドをランドセルに装着した状態を示した部分拡大斜視図である。
【考案を実施するための形態】
【００１０】
以下、本考案のランドセル用背当てパッドを、一実施形態に基づいて説明する。
【００１１】
本考案の一実施形態の背当てパッド１は、図１又は図３に示すように、ランドセル７の背当て７ｃ部分に装着できる矩形シート状のものであり、パッド本体部２と左右の固定紐３とを備えたものである。
【００１２】
パッド本体部２は、従来公知の形状、材質からなるものでよく、例えば、図１に示すように、ランドセル７の背当て７ｃと略同じ大きさとした縦長矩形シート状に形成し、上側中間部に、ランドセル７の背かん（図示せず）に固定する横長状の孔部４を有する形状とすることができる。
パッド本体部２は、クッション性及び通気性がある材質などで形成することができ、例えば、表面にポリエステルからなるメッシュ地、中間にポリエステルからなり、表裏連通した通気間隙を無数に有する織布乃至不織布などのクッション材、裏面にポリエステルからなるメッシュ地とした三層から形成することができる。
【００１３】
固定紐３は、テープ状に形成してあり、パッド本体部２の左右の縁部２ａにそれぞれ設けてあり、固定紐３の基端部をやや下方寄りの位置に縫製などにより固着してある。固定紐３は、図２に示すように、先端部に、面ファスナー５を備え付けてあり、ランドセル７のダルマかん６などに結合して固定することができるようにしてある。なお、「ダルマかん」とは、ランドセルの肩ひもと底襠部とを連結するための環状の部材である。
固定紐３は、伸縮性のある材質などで形成することが好ましく、例えば、ゴム、ナイロンなどの合成繊維、布、革などから形成することができ、長さ２２ｃｍ〜２５ｃｍ、幅１ｃｍ〜３ｃｍに形成することが好ましい。
【００１４】
面ファスナー５は、フックとループの両方が植え込まれているものが好ましく、折り返すことにより係合することができるようにしてある。面ファスナー５は、例えば、長さ７ｃｍ〜１０ｃｍ、幅１ｃｍ〜３ｃｍに形成することが好ましい。
本実施形態では、固定紐３の先端部に面ファスナー５を備え付けてダルマかん６に結合可能としてあるが、これに限定するものではなく、フック状の金具やバックルなどを備え付けて、ダルマかん６に結合できるようにしてもよい。
【００１５】
背当てパッド１をランドセル７に装着するには、例えば、ランドセル７の両肩ひもを孔部４に挿し通し、孔部４をランドセル７の背かん（図示せず）に固定する。そして、図３に示すように、左右の各固定紐３を、ランドセル７の大襠７ａ及び底襠７ｂ上を通し、各ダルマかん６に挿し通しながら折り返し、面ファスナー５を係合させることにより結合し、図４に示すように、背当てパッド１をランドセル７の背当て７ｃに装着することができる。
【００１６】
背当てパッド１は、固定紐３の先端部をランドセルのダルマかん６に結合することにより固定できるため、背当て部分からの張出部（つまみ皮）がないランドセルに対しても装着することができる。もちろん、張出部（つまみ皮）がある従来からのランドセルに対して装着もよい。
また、背当てパッド１を不使用時には、パッド本体部２を縦方向又は横方向に巻いて、固定紐３で縛ることにより収納しやすくなる。
【００１７】
上記実施形態の構成態様は、本考案を限定するものとして挙げたものではなく、技術目的を共通にするかぎり変更は可能であり、本考案はそのような変更を含むものである。
【符号の説明】
【００１８】
１背当てパッド  ２パッド本体部  ３固定紐  ４孔部  ５面ファスナー
６ダルマかん  ７ランドセル
【図１】
0003175696.tif 000003
【図２】
0003175696.tif 000004
【図３】
0003175696.tif 000005
【図４】
0003175696.tif 000006
【図５】
0003175696.tif 000007
【図６】
0003175696.tif 000008
(57)【要約】      （修正有）【課題】一輪挿しの花瓶の底に凹みをつけ、花の茎を花瓶の底の中心に固定することにより、花茎が直立し花が前向きに保持されるようにした一輪挿しを提供する。【解決手段】一輪挿しの底の花瓶の中央に凹みをつける。花瓶の底の厚さにより凹みの付け方に差異がある。底が厚ければ上から棒を差し込んで底の中央に凹みをつける。底が薄ければ底の中央を盛り上げてから凹みをつける。通常の一輪挿しと全く同様に使用できる。万一花茎が凹みの大きさよりも太い場合は茎の下端にピンを指すことにより一輪挿しを底中央の凹みに固定出来る。【選択図】図１
0003175666.tif 000002
【実用新案登録請求の範囲】
【請求項１】
花瓶の底の中央部分に凹みを付けることにより花茎が直立するように工夫した一輪挿しである。
【考案の詳細な説明】
【技術分野】
【０００１】
窯業・ガラス工芸・金属加工にて取り扱う「一輪挿し」の製造分野
【先行技術文献】
【特許文献】
【０００２】
【特許文献１】特許公開  2007-136146
【考案の概要】
【考案が解決しようとする課題】
【０００３】
通常の一輪挿しは花を一輪生けると必ず斜めになったり、垂れ下がったりしてせっかくの美しい花が醜いものになる傾向がある。
【課題を解決するための手段】
【０００４】
一輪挿しに花を生ける際に花が斜めになる問題は、一輪挿しの花瓶の底に凹みをつけることにより解決する。
【考案の効果】
【０００５】
一輪挿しの花瓶の底に凹みをつければ、花の茎が花瓶の底の中心に固定されることにより、花茎が直立し花が前向きに保持される。
【図面の簡単な説明】
【０００６】
【図１】一輪挿しの概観図である。一輪挿しの底の中央に凹みをつける。一輪挿しの底の厚さにより凹みの付け方に差異がある。底が厚ければ上から棒を差し込んで底の中央に凹みをつける。底が薄ければ底の中央を盛り上げてから凹みをつける。
【考案を実施するための形態】
【０００７】
これまでの特許あるいは実用新案では出来上がった一輪挿しを如何にして花が直立するようにするかを工夫をしていたが、当実用新案では一輪挿しの形状を製造工程から花茎が直立するように工夫したものである。
【実施例】
【０００８】
一輪挿しの製造工程において、一輪挿しの底の厚さが十分であれば一輪挿しの底の中央に凹みをつけるが、底の厚さが不十分であれば底の中央を盛り上げたうえで凹みをつける。
【産業上の利用可能性】
【０００９】
通常の一輪挿しと全く同様に使用できる。万一花茎が凹みの大きさよりも太い場合は茎の下端にピンを指すことにより一輪挿しを底中央の凹みに固定出来る。
【図１】
0003175666.tif 000003
(57)【要約】      （修正有）【課題】１枚のベストで、表や裏で着たり、前後反対で着たり、左を表生地、右を裏生地で着たりとか、またその逆とかというように自由に着こなすことができ、複数のコーディネートが可能になるベストを提供する。【解決手段】前後左右対称のパターンをベースに、裏を着用した際や前後を逆に着用した際のデザイン仕様を考え、更に左右の表裏を変えて着用できるように、身頃の中心を共通ジッパーまたは共通ボタンで閉じることで課題を解決している。【選択図】図２
0003175623.tif 000002
【実用新案登録請求の範囲】
【請求項１】
前後を対称化させた左右の同じ半身頃を、ジッパーやボタンで、背中心を合体させることで、ベストとして表裏着用が可能になり、次に前を閉めて後を開けて、前後を逆にした前後着用も可能になり、更に左右に分割して、左を表で右を裏で、またはその逆で背中心を合体させても、表裏着用や前後着用することができるベスト。
【考案の詳細な説明】
【技術分野】
【０００１】  本考案は、左右の切離しができ、表裏前後で着用したり、左右の表裏を変えて着用したりすることができるベストに関するものである。
【背景技術】
【０００２】  従来の一枚のベストでは、表生地の色やデザインによる複数のコーディネート汎用性が難しい。
【考案の概要】
【考案が解決しようとする課題】
【０００３】  １枚のベストで、表や裏で着たり、前後反対で着たり、左を表生地、右を裏生地で着たりとか、またその逆とかというように自由に着こなすことができることを目的とする。
【課題を解決するための手段】
【０００４】  本考案は、前後左右対象のパターンをベースに、裏を着用した際や前後を逆に着用した際のデザイン仕様を考え、更に左右の表裏が変えられるように、身頃の中心を前後共通のジッパーまたはボタンで閉じることで課題を解決している。
【考案の効果】
【０００５】  左右同一の表裏や左右違う表裏の着用が可能で、同素材で表裏の使用をした場合は、デザインで表ドレスの裏カジュアルといった変化を出したり、右がカジュアル左がドレスという変化や左右表裏を異素材や異色で楽しむこともでき、ドレスアップ的なコーディネートをしたりカジュアル的なコーディネートをしたり、８通りの変化が楽しめことで、コーディネートの汎用性が増し、旅行など荷物の軽減効果や、さらに同仕様同サイズのもう１着のベストがあれば、ジッパーで合体させることで、より多くの変化が可能になり、オシャレと実用の両面からの効果が得られる。
【図面の簡単な説明】
【０００６】
【図１】  デバイデッド・リバーシブル・ベストを着用した前後姿図である
【図２】  デバイデッド・リバーシブル・ベストのパターン図である。
【図３】  デバイデッド・リバーシブル・ベストの前後横からのデザイン図である。
【図４】  表側着用時の前後のデザイン図である。
【図５】  裏側着用時の前後のデザイン図である。
【図６】  右表左裏を着用時の前後のデザイン図である。
【図７】  右裏左表を着用時の前後のデザイン図である。
【考案の実施するための形態】
【０００７】  前後左右を対称化させるために、前身の半分のパターンをベースにして、脇で縫い合わせて前後対称の半身頃を２枚作るか、または最初から脇を縫わなくてもよいような前後対称の半身頃を２枚作って、背の中央をジッパーでまたはボタンで閉じることで、ベストとしての機能が生まれ、表裏着用はもとより、前を閉めて後を開けて、前後を逆にした前後着用も可能になり、更に左右に分割して、左を表で、右を裏での合体や、またその逆で左を裏で、右を表で合体させても、同様の表裏着用や前後着用することが可能な機能と利便性を生み出すことができる
【実施例】
【０００８】  以下、添付図面に従って実施例を説明する。
図１のように、着用時に前身と後身は、同じ身幅、同じ着丈という様にポケットデザインは変えられるが、基本的には、前後対称に見える。【０００９】  更に、図２のように前から見たデザインも、後ろから見たデザインも、横から見たデザインも対象となることで、見た目にもバランスが良く、前後での着用の際に取りやすいポケットデザインやダブルファスナーを使ってポケットを共通化させたりすることで、すべての着用時の利便性も高くなる。【００１０】  前後左右対称とするために、図３のように、前身の半分のパターンを基本として、表前後と裏前後用に４色をそれぞれ前身左右分として裁断し、表Ａ色と表の背部分Ｂ色を脇で縫い合せ、裏用Ｃ色と裏の背部分Ｄも同様に縫い合わせ、更にそれぞれの表と表を、ジッパーを挟み込んで縫い合わせて、片方の身頃の前後ジッパーは、２本ともスライダー付にして、もうひとつの身頃は、２本ともスライダーなしにすることで、左右別々の裏表着用が可能となり、フロントボタン止めの際は、ジッパー部分にジッパーの代わりに前立てを作って、それぞれにボタンホールを付けて、拝みボタンで留めることで、またフロントドットボタン止めの際も、ボタンホールの代わりに身頃の前後の前立て部分にすべてオスドットを打った身頃と、もう片方の身頃の前後にすべてメスドットを打つことで、ファスナーであっても、ボタンであっても、同様の左右別々の裏表着用が可能となる。【００１１】  縫い合わされた製品の８通りの着方を説明すると、図４左が前身Ａ色のデザイン図で、その背部分がＢ色であり、背を前に着た時の見え方です。【００１２】  図５は、単純に裏返しを着た時の前を表にしたＣ色とその時の背を前にして着た時のＤ色のデザイン図である。【００１３】  さらに、前後のジッパーを外して、分割し着用時右前をそのままにして、左前の裏を表にして背部分のジッパーを閉じると、図６の左の図になり、その背を前にしたのが、図６の右の図である。【００１４】  それを、裏返しにして、更に、前後を着用すると、図７のように、着用することができ、最終的には、１枚のベストで８通りの着方が可能になります。
【産業上の利用可能性】
【００１５】  本考案は、１枚のベストで、目的に応じて最大８種類のコーディネートが可能となり、ビジネスシーン・トラベルシーン・スポーツシーン・プライベートシーンなどの多様なシーンに、１枚のベストで、より快適な利便性を提供できる可能性を有している。
【図１】
0003175623.tif 000003
【図２】
0003175623.tif 000004
【図３】
0003175623.tif 000005
【図４】
0003175623.tif 000006
【図５】
0003175623.tif 000007
【図６】
0003175623.tif 000008
【図７】
0003175623.tif 000009
(57)【要約】      （修正有）【課題】変化にとんだ雪山スロープを年少者でも補助者と共同で簡単且つ安全に滑降出来る本来のソリ遊具を提供する。【解決手段】雪上を滑る滑走板を２体、間隔を空けて並べ、後方に補助座席、前方に操縦座席を設置し、操縦座席の中に金属製の操舵棒支持具を埋設し操縦座席の外側面サイドに操舵棒を取り付け、操舵、スピード調整、ブレーキ対応機能を兼ね備えた一対型を設けた事を特徴とする、従って簡単且つ安全な状態で滑降が可能である。【選択図】図１
0003175625.tif 000002
【実用新案登録請求の範囲】
【請求項１】
滑走板２本を間隔を開けて並べ、その板上中央に前部の操縦座席と後部に補助座席をビスで固定し、前部の操縦座席者は、操縦座席外側の左右に設置した操舵棒を自由自在に操縦し後部座席者は操縦者を補助し、雪山を滑降する事を特徴とする２人乗りスノーソリ遊具。
【考案の詳細な説明】
【技術分野】
【０００１】本考案は雪山のスロープを利用して安全に滑降する為の補助装置に関するものである。
【背景技術】
【０００２】従来、雪山の滑降時は、ゆるやかなスロープで同行者に、ロープで引張ってもらうか自身が足けりで滑るかで、雪面に接する底面が平面体の、だるま状で重心の重い左右に傾き方向性に乏しく、横滑りするなど横転し不安定な為、危険を伴う、
【考案の開示】
【考案が解決しようとする課題】
【０００３】上述の様に従来のスノーソリは安定した方向性に乏しく転倒し危険であった。又スノーソリは雪山の傾斜を安全に滑降するのが目的であり滑降後、雪山の高いスタート場所へ、ソリの移動が伴い年少者には負担が大きすぎる。
本考案はこの様な欠点を解決しょうとするものである。
【課題を解決するための手段】
【０００４】本考案のソリ後部位置の補助座席図３は操縦機能は搭載していないが、操縦席者との連携を有し滑降後の移動を共有する。
又、ソリの中央部位置の操縦座席図４の中に金属製の操舵棒支持具図５を埋設し操縦座席外側図４の左右に操舵棒図６を取り付け、操舵、スピード調整、ブレーキ対応、の多機能を兼ね備えた一体型図６を設けた事により問題点を解決している。
【考案の効果】
【０００５】上述の様に、本考案の操舵棒を設けた事により自由自在に操舵、スピード調整、ブレーキ対応を、より安心安全に滑降を可能にした。
又、２人乗り座席を設けた事により、親子、兄弟、友人等、が乗り合わせる事でスキンシップが生まれ、１人乗りで滑るのと違った楽しさで遊べる雪上遊具を提供する。
【図面の簡単な説明】
【０００６】
【図１】本考案のスノーソリ全形の斜視図である。
【図２】ソリに使用する滑走板の斜視図である。
【図３】後方補助座席の斜視図である。
【図４】前方操縦座席の斜視図である。
【図５】操縦座席の中に埋設し操舵棒を接続する支持金具の断面図である。
【図６】操縦座席の左右側面に取り付ける操舵棒の断面図である。
【考案を実施するための最良の形態】
【０００７】本考案は滑走版の先端部分に危険防止の丸みを持たせ、雪中に突込まない様上向きに反り曲げた、又、滑走版が細長く単独２枚板で構成されている為、機能上横滑り転倒を起こさず年少者、初心者でも簡単に操舵棒をあやつり安全な滑降を可能にした。
【図１】
0003175625.tif 000003
【図２】
0003175625.tif 000004
【図３】
0003175625.tif 000005
【図４】
0003175625.tif 000006
【図５】
0003175625.tif 000007
【図６】
0003175625.tif 000008
(57)【要約】      （修正有）【課題】加温器で容易に適温状態とすることができ、長時間保温でき弁当、食品、缶飲み物、瓶飲み物、を適温に温め、常時飲み、食することの出来る保温器を提供する。【解決手段】ステンレス製の本体フレーム１と金属、非金属又は保温プラスチック等の熱伝道率の悪いカバー、保温及び缶類収納カバーで覆い、本体フレーム１の底には４個のゴム脚を取付け、本体フレーム１の側面側正面に加熱表示ランプ４、温度制御ＳＷ５、電源コード６を設け、本体フレーム１の上面内部に発熱体（ヒーター）を各種形状に這わせ、絶縁接着テープで上面に固定し、そして、本体フレーム１の底部内側に温度制御素子７をもって設定温度に加温する。又、保温及び缶類収納カバーの上部に数箇所の缶収納口を設け缶飲み物、お茶などを挿入して缶を温め常時温かい缶飲み物を飲めることを特徴とするマルチウオーマー。【選択図】図１
0003175628.tif 000002
【実用新案登録請求の範囲】
【請求項１】
ステンレス等の本体フレーム１を設け、その本体フレーム１の上部に保温及び缶類収納カバー２を設け覆った事を特徴とするマルチウオーマー。
【請求項２】
ステンレス等の本体フレーム１の底にはゴム脚３を設け、本体フレーム１の側面に加温表示ランプ４、温度制御ＳＷ５、電源コード６、本体フレーム１の内側底面に温度制御素子７を設けた事を特徴とする請求項１記載のマルチウオーマー。
【請求項３】
保温及び缶類収納カバー２は金属、非金属又はプラスチック等の熱伝導率の低いカバーで覆い、上部に複数の缶収納孔１０を設けた事を特徴とする請求項１〜２のいずれか１項に記載のマルチウオーマー。
【請求項４】
ステンレス等の本体フレーム１の内側上面に電熱線ヒーター等の発熱体８を各種形状に這わせ、絶縁接着テープ９で固定し、本体フレーム１の底部に上面の温度を制御する温度制御素子７をもって設定温度に加温したことを特徴とする請求項１〜３のいずれか１項に記載のマルチウオーマー。
【請求項５】
本考案はコーヒー缶、お茶の缶等の缶飲み物の保温、給食弁当・各種バイキング料理の保温、動物病院における保温、多種の食料品、瓶飲み物等を温めることができることを特徴とする請求項１〜４のいずれか１項に記載のマルチウオーマー。
【考案の詳細な説明】
【技術分野】
【０００１】  本考案は給食弁当等の保温、コンビニ、ピザの宅配、缶飲料、動物病院における保温、各種バイキング料理品の保温等の加温器具に関するものである。
【背景技術】
【０００２】  お弁当やピザの宅配サービスにおいては、加熱調理された温かい食品をできるだけ温かい状態で注文者に届けることが好ましい。業者の作業工程や配達時間などを考慮すると、食品が加熱調理されてから注文者が口にするまでかなりの時間がかかる場合もあるので、このような食品は保温した状態で保管されたり、配達される。一度に全部を運搬できないという問題点もある。又、缶飲み物、瓶飲み物、お茶などは、外に買いに行けば、自動販売機では温かい飲み物は飲めるが、家庭内では温める加温器は無く、又市販されていなく、常時好きな時には飲めない、又、寒い時期には、お弁当や給食などは企業ではストーブ等で暖め、家庭内では電子レンジで暖めるしかなく小型で安く市販されている加温器が望まれている。
【先行技術文献】
【特許文献】
【０００３】
【特許文献１】特許第３５２７８４９号
【特許文献２】実用新案登録第３００２９７６号
【考案の概要】
【考案が解決しようとする課題】
【０００４】  本考案は、上記観点に鑑みてなされたものであり、  従来は、加温器は業務用のため大型であり、家庭等において活用されることが少なかった。あらゆる温める食品で保管が容易であり、容易に発熱状態とすることができ安価で小型で長時間に渡って使用することができ小量から多量の加熱食品をできるだけ温かい状態で、かつ、嵩張らないように保管及び配達できる食品及び食品保温方法の加温器を提供することを目的とする。
【問題が解決するための手段】
【０００５】  本考案は、温度制御回路図は別紙（図３）であり、上記目的を達成するために、ステンレス製の本体フレーム１を設け、その本体フレーム１の底には４方角にゴム脚３を取付け、本体フレーム１の上部に保温及び缶類収納カバー２を設ける、又、本体フレーム１の側面に加温表示ランプ４、温度制御ＳＷ５、電源コード６を設け、本体フレーム１の底面内側を温度制御素子７をもって設定温度に加温し制御する、本体フレーム１の内部内側上部に電熱線ヒーター等の発熱体（ヒーター）８を設け、発熱体８を各種形状に這わせ、絶縁接着テープ９で固定し、そして保温及び缶類収納カバー２は金属、非金属又はプラスチック等の熱伝導率の悪いカバーで覆い、上部に複数の缶収納孔１０を設けたものである。
【考案の効果】
【０００６】  上述したように本考案のマルチウオーマーは、本体フレームを発熱体で適度の温度に保温し、弁当類、缶飲み物、瓶飲み物、お茶類、ピザ、各種バイキング料理の保温等を適当な温度に保温できるため、企業、事務所、学校、幼稚園、家庭等で食事又は休憩時に常時温かい物が飲める効果が容易に出来る。
【図面の簡単な説明】
【０００７】
【図１】本考案の平面図
【図２】本考案の正面図
【図３】本考案の回路図
【考案を実施するための形態】
【０００８】  ステンレス製の本体フレームと金属、非金属又はプラスチック等の熱伝導率の悪いカバー、保温及び缶類収納カバーで覆い、本体フレームの底には４個のゴム脚を取付け、本体フレームの側面側正面に加熱表示ランプ、温度制御ＳＷ、電源コードを設け、本体フレームの上面内部に発熱体（ヒーター）を各種形状に這わせ、絶縁接着テープで上面に固定し、本体フレームの底部内側に温度制御素子をもって設定温度に加温する。又、保温及び缶類収納カバーの上部に数箇所の缶収納口を設け缶飲み物、お茶などを挿入して缶を温め常時温かい缶飲み物、瓶飲み物、お茶等を飲めることを特徴とするマルチウオーマー。
【産業状の利用可能性】
【０００９】  本考案のマルチウオーマーは、企業、事務所、学校、幼稚園、家庭等で食事、休憩時に常時温かい弁当、缶飲み物、瓶飲み物、お茶、ピザ等を飲んだり、食べたり出来るため、屋外に買いに行かなくても良く、利用可能性はある。
【符号の説明】
【００１０】  １    本体フレーム
２    保温及び缶類収納カバー
３    ゴム脚
４    加温表示ランプ
５    温度制御ＳＷ
６    電源コード
７    温度制御素子
８    発熱体（ヒーター）
９    絶縁接着テープ
１０    缶収納穴
【図１】
0003175628.tif 000003
【図２】
0003175628.tif 000004
【図３】
0003175628.tif 000005
(57)【要約】      （修正有）【課題】レコーダーまたはプレイヤーから取り出したディスクに単に一連番号や文字の混じった一連番号等を記入するだけで、そのレコーダーまたはプレイヤーの所有する人が所有する全部のディスクの題目や見出しをレコーダーまたはプレイヤーにより、一覧として、表示できるＤＶＤレコーダー、ＤＶＤプレイヤー、ブルーレイディスクレコーダー、ブルーレイプレイヤーを提供する。【解決手段】ＤＶＤ等のディスクに電気的に記録されたタイトルや見出しをＤＶＤレコーダー等にディスクをセットアップしたときにＤＶＤレコーダー等の内部のメモリーに記録出来るようにするか、新たにメモリーをＤＶＤレコーダー等に取り付けて、ディスクを外した後でもＤＶＤレコーダー等により一連番号等を付けて表示出来る様にする。【選択図】図１
0003175677.tif 000002
【実用新案登録請求の範囲】
【請求項１】
DVDディスクやブルーレイディスクのタイトルや見出し等ディスクの管理情報だけをプレイヤーおよびレコーダーの電子メモリーまたはハードディスクに記録するDVDおよびブルーレイのプレイヤーまたはレコーダー。
【請求項２】
DVDディスクやブルーレイディスクのタイトルや見出しなど管理情報だけを外部の電子メモリーまたはハードディスクに記録するプレイヤーまたはレコーダー。
【考案の詳細な説明】
【技術分野】
【０００１】
映像等を記録や再生するDVDレコーダー、DVDプレイヤー、ブルーレイディスクレコーダー、ブルーレイプレイヤーに関するものである。
【背景技術】
【０００２】
DVDディスクやブルーレイディスクの記録内容を確認するのには、記録内容にタイトルや見出しをつけて、ディスクの表面に筆記具等で書き込むか、メモリストをディスクケースに挟む必要がある。また、ディスクに電気的にタイトルや見出しを記録出来るが、そのディスクをレコーダーにセットアップしたとき以外では、記録内容のタイトルや見出しを確認出来ない。
【考案の概要】
【考案が解決しようとする課題】
【０００３】
ディスクの記録内容をディスクの表面に詳細に記入する事やメモリストをディスクケースに挟むのが面倒くさいために、単に一連番号か文字を混ぜた一連番号をディスクの表面に記入して、ディスクを番号順にディスク整理棚に置くだけで、ディスクの記録内容を管理する。
【課題を解決するための手段】
【０００４】
レコーダーまたはプレイヤーにタイトルや見出しだけをを記録するメモリーを接続するか、レコーダーまたはプレイヤーの内部のメモリーにセットしたディスクのタイトルや見出しだけを一連番号や文字の混じった一連番号等を付けて記憶させて、ディスクをレコーダーまたはプレイヤーから取り出した後でもディスクの題目や見出しをレコーダーまたはプレイヤーの内部記憶として保持し、必要に応じて表示させる。表１はディスクをレコーダーまたはプレイヤーから取り出した後でも出来る様にした、レコーダーまたはプレイヤーによる表示の１例である。
【表１】
0003175677.tif 000003
【考案の効果】
【０００５】
レコーダーまたはプレイヤーから取り出したディスクに単に一連番号や文字の混じった一連番号等を記入するだけ、そのレコーダーまたはプレイヤーの所有する人が所有する全部のディスクの題目や見出しをレコーダーまたはプレイヤーにより、一覧として、表示できる。
【図面の簡単な説明】
【０００６】
【図１】DVDおよびブルーレイレコーダー等（１）にディスクをセットアップ時にディスクの管理情報であるタイトルや見出しを接続コード（２）を経由してメモリー（３）に記憶させて、レコーダー（１）からディスクを取り外した後でもメモリーからの出力を接続コード（２）を経由して、レコーダー（１）に表示させる。
【考案を実施するための形態】
【０００７】
映像等をDVDディスクに記録したり再生するDVDレコーダーまたはプレーヤーの内部のメモリーにDVDディスクに電気的に記録されているタイトルや見出しを記録するか、または新たにメモリーを取り付けて、取り出した後でもDVD管理情報を表示できる様にする。
【実施例】
【０００８】
DVDレコーダーまたはプレイヤーにDVDディスクの記録内容のタイトルや見出し等ディスクの管理情報を記録するメモリーを取り付けて、ディスクを取り出した後でもディスクに一連番号等を付けてDVDレコーダーまたはプレイヤーに表示出来る様にする。
【産業上の利用可能性】
【０００９】
DVDディスクに記号等を含む一連番号を記入するだけでDVDディスク等の管理が出来る。
【符号の説明】
【００１０】
１  DVDまたはブルーレイレコーダー、プレイヤー
２  接続コード
３  タイトルや見出しを一連番号等を付けて記録する電子メモリーまたはハードディスク
【図１】
0003175677.tif 000004
(57)【要約】【課題】人体や冊子を傷つける危険性が低く、かつ装飾性や独自性の高いしおりを提供する。【解決手段】冊子の頁間に挟んで使用される竹製しおり１であって、長辺と短辺とを有する短冊状の竹材２からなり、かつ竹材２の四隅の角部３が面取りされていることを特徴とする。【選択図】図１
0003175655.tif 000002
【実用新案登録請求の範囲】
【請求項１】
冊子の頁間に挟んで使用される竹製しおりであって、
長辺と短辺とを有する短冊状の竹材からなり、かつ前記竹材の四隅の角部が面取りされていることを特徴とする竹製しおり。
【請求項２】
前記角部は、曲線状または直線状に面取りされていることを特徴とする請求項１に記載の竹製しおり。
【考案の詳細な説明】
【技術分野】
【０００１】
本考案は、本や手帳等の冊子の頁間に挟んで使用されるしおりに関するものである。
【背景技術】
【０００２】
従来から、短冊状に形成された紙製のしおりが知られている。かかる紙製のしおりは、紙の表面または裏面に印刷された模様によって装飾性や独自性を発揮している（例えば、特許文献１参照）。しかしながら、大半のしおりは素材が紙であるため、模様だけで装飾性や独自性を高めるのには限界がある。
また、紙製のしおりは、簡単に折れ曲がったり破れたりするといった強度の問題もある。
【０００３】
そこで、本願出願人は、図３に示す竹製のしおり３１を提案している。この竹製しおり３１は、長辺と短辺とを有する短冊状の竹材３２からなり、竹材３２の表面には不図示の模様が印刷されている。
この竹製しおり３１によれば、素材が竹であるため、印刷された模様に加えて、竹がもつ天然の色、艶、風合い等によっても装飾性や独自性を高めることができる。
しかも、竹は紙と比べて強度が高いため、この竹製しおり３１によれば、簡単に折れ曲がったり破れたりすることもない。
【先行技術文献】
【特許文献】
【０００４】
【特許文献１】実開昭６１−３１８５８号公報
【考案の概要】
【考案が解決しようとする課題】
【０００５】
しかしながら、従来の竹製しおり３１は、図３に示すように、竹材３２の四隅の角部３３が直角に角張っている。このため、従来の竹製しおり３１では、竹材３２を冊子の頁間に挟もうとした際に竹材３２の角部３３が指や冊子にあたると、角部３３で指が切れたり冊子が傷ついたりするおそれがあった。
【０００６】
本考案は上記事情に鑑みてなされたものであって、その課題とするところは、人体や冊子を傷つける危険性が低く、かつ装飾性や独自性の高いしおりを提供することにある。
【課題を解決するための手段】
【０００７】
上記課題を解決するために、本考案に係るしおりは、冊子の頁間に挟んで使用される竹製しおりであって、長辺と短辺とを有する短冊状の竹材からなり、かつ竹材の四隅の角部が面取りされていることを特徴とする。
【０００８】
上記竹製しおりの角部は、例えば、曲線状または直線状に面取りされている構成が考えられる。
【考案の効果】
【０００９】
本考案では、素材が竹であるため、竹がもつ天然の色、艶、風合い等を活かして装飾性や独自性を高めることができる。しかも、本考案では、竹材の四隅の角部が面取りされているので、角部で指が切れたり冊子が傷ついたりするといった危険性を減らすことができる。
したがって、本考案によれば、人体や冊子を傷つける危険性が低く、かつ装飾性や独自性の高いしおりを提供することができる。
【図面の簡単な説明】
【００１０】
【図１】本考案の一実施形態に係る竹製しおりを示す平面図である。
【図２】本考案の変形例に係る竹製しおりの角部を示す部分平面図である。
【図３】従来の竹製しおりを示す平面図である。
【考案を実施するための形態】
【００１１】
以下、添付図面を参照して、本考案に係る竹製しおりの好ましい実施形態について説明する。
【００１２】
（竹製しおりの構造）
図１に、本考案の一実施形態に係る竹製しおり１を示す。
同図に示すように、本実施形態に係る竹製しおり１は、本や手帳等の冊子の頁間に挟んで使用されるものであり、１３．５ｃｍ程度の長辺と２．２ｃｍ程度の短辺とを有し、厚さが０．１ｃｍ程度になるよう加工された短冊状の竹材２からなるものである。
【００１３】
竹材２は、表面に、模様（本実施形態では、竜の模様）が印刷されており、一方の短辺近傍に、紐４を通して結ぶための丸孔が形成されている。
【００１４】
竹材２の四隅の角部３は、図３に示す従来の竹製しおり３１の角部３３とは異なり、平面視で曲線状に面取りされて丸くなっている。これにより、角部３で指が切れたり冊子が傷ついたりするといった危険性を大幅に減らすことができる。
【００１５】
（竹製しおりの製造方法）
次に、本実施形態に係る竹製しおり１の製造方法について説明する。
本実施形態に係る竹製しおり１の製造方法は、竹材をシート状に加工する一次加工工程と、シート状に加工された竹材に模様を印刷する印刷工程と、模様が印刷されたシート状の竹材をトムソン型等の抜き型により複数枚の短冊状の竹材２に加工する打ち抜き工程とを含んでいる。
なお、打ち抜き時にささくれ等が発生する場合は、打ち抜き工程の後に、ささくれ等を除去するための除去工程を追加してもよい。
【００１６】
打ち抜き工程で使用される抜き型は、竹材２の四隅の角部３に対応する部分が丸みを帯びた形状になっている。かかる形状の抜き型を使用することにより、打ち抜き工程では、一枚のシート状の竹材から、面取りされた角部３を有する複数枚の短冊状の竹材２を得ることができる。
【００１７】
以上、本考案に係る竹製しおりの好ましい実施形態について説明してきたが、本考案は上記の構成に限定されるものではない。
【００１８】
上記実施形態では、竹材２の角部３を曲線状に面取りしているが、この面取り形状は、任意に変更することができる。
例えば、竹材１２の角部１３を直線状に面取りしてもよいし（図２（ａ）参照）、竹材２２の短辺が半円形状になるように、上記実施形態とは異なる曲率で角部２３を曲線状に面取りしてもよい（図２（ｂ）参照）。
【００１９】
また、上記実施形態に係る竹製しおり１は、一枚の竹材２で構成されていてもよいし、より折れにくくするために、同一形状の竹材２を複数枚貼り合せた構成にしてもよい。
【００２０】
さらに、上記実施形態では、時間およびコスト削減の観点から、打ち抜き工程で面取りを行っているが、打ち抜き工程で面取りを行わず、その後の工程でヤスリやサンダー等によって面取りを行ってもよい。なお、打ち抜き工程で面取りを行わない場合は、竹材２の角部３に対応する部分が角張っている抜き型が使用される。
【００２１】
また、竹製しおり１の長辺、短辺、厚み等の寸法や印刷される模様等は任意に変更することができる。
【符号の説明】
【００２２】
１    竹製しおり
２、１２、２２    竹材
３、１３、２３    角部
４    紐
【図１】
0003175655.tif 000003
【図２】
0003175655.tif 000004
【図３】
0003175655.tif 000005
(57)【要約】      （修正有）【課題】外部コントロール接続装置で送信中であることを示す信号音を受信用受話器から発生させるることで送信中であることを知らせ、不要な送信をしないプレストーク無線器を提供する。【解決手段】プレストーク無線機に接続して使用する送信と受信を同時に行うことの出来る外部コントロール接続装置であって、タクトスイッチ２、フィップフロップ回路、電子スイッチ回路、電子信号発生回路からなる通信回路３で構成する。さらに外部からの電気を使用せず、エレクトロマイクロホン４の電圧で信号発生回路からの送信中であることを示す信号音を受信用受話器１ａから発生させることを特徴として外部コントロール接続装置を構成する。【選択図】図１
0003175056.tif 000002
【実用新案登録請求の範囲】
【請求項１】
プレストーク無線機に接続して使用する送信と受信を同時に行うことの出来る外部コントロール接続装置であって、タクトスイッチ、フィップフロップ回路、電子スイッチ回路、電子信号発生回路からなる通信回路で構成され、エレクトロマイクロホンの電圧で信号発生回路からの送信中であることを示す信号音を受信用受話器から発生させることを特徴とする外部コントロール接続装置。
【考案の詳細な説明】
【技術分野】
【０００１】
本考案はプレストーク無線機に使用する外部コントロール接続装置に関する。
【背景技術】
【０００２】
プレストーク無線機は一般的に使用されているが、外部コントロール装置を用いて通話中に通話中であることを示す信号音を発生させるようなものはなく、従来の無線機では通話中であることがわからないという問題点があった。
【考案の開示】
【考案が解決しようとする課題】
【０００３】
本考案はプレストーク無線機に使用する外部コントロール接続装置で送信中であることを示す信号音を受信用受話器から発生させるることで送信中であることを知らせることで、不用意・不必要な送信をしないプレストーク無線機を提供することを課題とする。
【課題を解決するための手段】
【０００４】
本考案はプレストーク無線機に使用する外部コントロール接続装置で送信中であることを示す信号音を受信用受話器から発生させることで送信中であることを知らせることで、不要意の送信をしないことを知らせことで課題を解決するため手段とする。
本考案はエレクトレットマイクロホンの入力端子にかかる電圧を利用して通信装置を作動させることにより、信号発生器より特定の信号を発生させ、スピーカーもしくはイヤホーンに送ることにより、通話中であることを知らせることができる。
【考案の効果】
【０００５】
本考案でプレストーク無線機に使用する外部コントロール接続装置で送信中であることを示す信号音を外部からの電気を使用せずに、受信用受話器から発生させるることで送信中であることを知らせることで、不要意の送信を知ることが出来る。
【考案を実施するための最良の形態】
【０００６】
本考案はプレストーク無線機に使用する外部コントロール接続装置で、タクトスイッチ、フィップフロップ回路、電子スイッチ回路、信号発生回路からなる通信回路で構成され、エレクトロマイクロホンの電圧で全ての回路を動作させる、送信中であることを電子信号発生回路で信号音を受信用受話器から発生させることで送信中であることを知らせることで、不要意の送信を知ることが出来る通信回路を有することで考案を実施するための最良の形態となる。
【実施例】
【０００７】
図面に従って、以下添付実施例を説明する、１は受信用受話器で１aはスピカー用  、１bは受信用受話器がイヤホーン用、２は送信受信を切換るタクトスイッチ、３は通信回路（タクトスイッチ、フィップフロップ回路、電子スイッチ回路、信号発生回路）、４は送信時の送話用エレクトレットマイクロホンである。
【０００８】
５はプレストーク無線機と外部コントロールケースを接続するコネクター、５aは受信用受話器用接続端子、５ｂは送話と送信用でエレクトロマイクロホンの動作用電圧を得る端子、６は電子信号発生回路、７は送信受信を切換用電子スイッチ回路、８は電子スイッチ回路をコントロールするフィップフロップ回路、９はスピカー用外部コントロールケース、１０はイヤホーン用外部コントロールケースである。
【図面の簡単な説明】
【０００９】
【図１】スピカー用外部コントロール接続装置正面図
【図２】イヤホーン用外部コントロール接続装置上面図
【図３】外部コントロール接続装置の通信回路ブロック回路図
【符号の説明】
【００１０】
１    受信用受話器
２    タクトスイッチ
３    通信回路（タクトスイッチ、フィップフロップ回路、電子スイッチ回路、信号発生回路
４    送話用エレクトレットマイクロホン
５    外部コントロールケースを接続するコネクター
６    電子信号発生回路
７    電子スイッチ回路
８    フィップフロップ回路
９    スピカー用外部コントロールケース
１０  イヤホーン用外部コントロールケース
【図１】
0003175056.tif 000003
【図２】
0003175056.tif 000004
【図３】
0003175056.tif 000005
(57)【要約】      （修正有）【課題】トラスユニットを用いた壁自立型とする事により、建設コストが低く、かつ保守点検が便利になる矩形鋼製タンクの内部補強構造を提供する。【解決手段】タンク本体１の対向の受圧側壁１ａ、１ｂの内側に、トラスユニット４が設置される。また、トラスユニット４の諸部材４ａ、４ｂ、４ｃ、４ｄの断面が水圧荷重に抵抗できるように設計する。また、天井板１ｃの直下に、天井板１ｃを支持する柱材５、７と、梁材６を設置し、柱材５、７と、梁材６の断面が天井積載・積雪荷重に抵抗できるように形成する。上記の内部補強構造を有するタンクでは、水が入った場合、トラスユニット４が水圧荷重に対抗し、柱材５、７と、梁材６が天井の積載・積雪荷重に対抗して、タンクの安全性が確保される。【選択図】図１
0003175057.tif 000002
【実用新案登録請求の範囲】
【請求項１】
矩形鋼製タンク本体（１）の内部において、タンクの対向の受圧側壁（１a、１b）の内側に同受圧側壁（１a、１b）の補強を目的とする、水平バー(４a)と鉛直バー(４b)と傾斜バー(４ｄ)とから構成するトラスユニット（４）が設置されることを特徴とする内部補強構造。
【請求項２】
請求項１に記載の内部補強構造において、天井板（１c）の受ける積載・積雪荷重を支えるための、柱材と称する鉛直バー(５、７）と、これら（５、７）と交差する梁材と称する水平バー（６)が設置されることを特徴とする内部補強構造。
【考案の詳細な説明】
【技術分野】
【０００１】本考案は、建設コストが低く保守点検が便利な矩形鋼製タンクの内部補強構造に関する。
【背景技術】
【０００２】図２に示すように、従来、配水池や受水槽等のような大容量の矩形鋼製タンク１は、受圧側壁１ａ、１ｂの厚みが薄くて単独に水平方向の水圧荷重に対抗できないので、対向の受圧側壁に連結する水平補強バー２を設置する課題を解決するための手段補強構造が従来から採用されている。この場合、タンク１の対向の受圧側壁１a、１bは水平補強バー２によって一体となり、大きさが同様で向きが反対の水圧荷重を受けて安定する。【０００３】しかし、タンクの容量が大きくなる場合、上記の従来技術に下記のデメリットがある。【０００４】水平補強バー２は、タンク本体１の深さの増加につれてその本数が多くなったりタンク本体１の幅の増加につれてその延長が長くなったりして、加えて水平補強バー２とそれを支持する鉛直バー３との交点数が増大し溶接施工量が増えるので、タンクの材料費と建設費が高額になる。また、タンク１内において、水平補強バー２と鉛直バー３が密集しているので、タンクの保守・点検等のための作業性も悪い。
【考案の概要】
【考案が解決しようとする課題】
【０００５】配水池、受水槽等のような大容量矩形鋼製タンクは、敷地形状の対応性に優れ、加えて耐震性、美観、衛生性、フリーメンテナンス性など多くのメリットが評価されて公共施設として加速的にその実績が伸びている一方、安全性とコスト削減が求められている。従ってより安全且つ合理的な内部補強構造を考案して建設コストを抑えるのが至急な課題となっている。
【課題を解決するための手段】
【０００６】上記問題を解決するため、請求項１に記載の考案は、図１と示すように、矩形鋼製タンクの内部において、対向の受圧側壁１a、１bの内側に受圧側壁１a、１bの補強を目的とする、水平バー４aと鉛直バー４ｂ、４cと傾斜バー４dから構成するトラスユニット４が設置されることを特徴とする内部補強構造を用いることを要旨とする。【０００７】請求項２記載の考案は、請求項２に記載の水内部補強構造において、図１に示すように、天井板１cの受ける積載・積雪荷重を支持するための、柱材と称する鉛直バー５、７と、これら５、７と交差する梁材と称する水平バー６が設置されることを特徴とする内部補強構造を用いることを要旨とする。
【考案の効果】
【０００８】本考案の最大の特徴は、図２に示す従来の内部構造方式と異なって、タンク本体１内に水平補強バー２の設置がなく、すなわちタンク本体１の対向の受圧側壁１a、１bの連結がない、いわゆる壁自立型の内部補強構造である。この内部補強構造は、タンク、特に大容量タンクの構築に必要とする部材の総重量を大幅に減らせ、加えてトラスユニット４は工場での製作が可能なので、材料費と施工費の両方面からタンク建設のコストの低減を図れる。【０００９】また、図２に示す従来の水平補強バー２と鉛直バー３の密集な配置がないので、図１に示すように、タンク本体１の内部に開放感があり、タンクの保守・点検等のための作業性の大幅の改善を図れる。
【考案を実施するための最良の形態】
【００１０】図１に考案を実施するための最良の実施形態を示す。【００１１】図１に示すように、タンク本体１の対向の受圧側壁１a、１bの内側に、トラスユニット４が設置される。また、トラスユニット４の諸部材４a、４b、４ｃ、４dの断面が水圧荷重に抵抗できるように設計される。【００１２】図１に示すように、天井板１cの直下に、天井板１cを支持する柱材５、７と、梁材６が設置される。また、柱材５、７と、梁材６の断面が天井積載・積雪荷重に抵抗できるように設計される。【００１３】上記の内部補強構造を有するタンクでは、水が入った場合、トラスユニット４が水圧荷重に対抗し、柱材５、７と、梁材６が天井の積載・積雪荷重に対抗して、タンクの安全性が確保される。
【実施例１】
【００１４】本考案の実施例１は、図１に示すような、本考案を実施するための最良の実施形態である。【００１５】以上では、本考案について２次元のタンクの鉛直平面を用い説明したが、説明した鉛直平面と直角となす方向の鉛直平面についても同様な内部補強構造を設置することとする。
【図面の簡単な説明】
【００１６】
【図１】本考案の実施例１の概略図（鉛直断面図）
【図２】従来技術の実施形態の概要図（鉛直断面図）
【符号の説明】
【００１７】１      タンク本体１a     タンクの受圧側壁１b     タンクの受圧側壁１c     タンクの天井板１c     タンクの底板２      水平補強バー３      鉛直バー４      トラスユニット４a     トラスユニット用の水平バー４b     トラスユニット用の鉛直バー４ｃ     トラスユニット用の鉛直バー４d     トラスユニット用の傾斜バー５      天井板を支持する鉛直バー６      天井を支持する水平バー７      天井を支持する鉛直バー
【図１】
0003175057.tif 000003
【図２】
0003175057.tif 000004
(57)【要約】      （修正有）【課題】現在使用している机や座卓及びこたつ等の天板周辺に新たな収納や、こたつの電源などを置くことが出来る収納箱を提供する。【解決手段】板材を取り付け、机や座卓及びこたつの天板と脚部に挟み込んで使用する収納箱。現在使用している机や座卓及びこたつ等の天板周辺に、簡単に挟み込んで設置する。収納箱に天板と脚間に挟み込む板状材若しくは棒状材を装備するものである。【選択図】図１
0003175001.tif 000002
【実用新案登録請求の範囲】
【請求項１】
板材を取り付け、机や座卓及びこたつの天板と脚部に挟み込んで使用する収納箱。
【考案の詳細な説明】
【技術分野】
【０００１】  本考案は、机及び座卓、こたつ等天板と脚間周縁近傍に、簡単に挟み込み使用する収納箱  付属用品  に関する。
【背景技術】
【０００２】  テーブルやこたつ上に置いておきたい、テレビリモコンや携帯電話等小物類、あるいは現状では床上に置いてあるこたつのスイッチ等、従来では雑多なものを直に置くか、天板上に小物類の収納箱を置き、天板上の使用できる面積を狭くしていた。この解決策として、天板を可動する方法（たとえば実願平６−１１５９９公報など）、机脇に収納箱をつりさげる方法（たとえば特開２００５−８７６２５公報など）、こたつ電源などは、天板にその機能を備えつけた方法（たとえば実願平１−４４３６４公報など）がある。
【先行技術文献】
【特許文献】
【０００３】
【特許文献１】特開２００５−８７６２５公報
【特許文献２】実願平６−１１５９９公報
【特許文献３】実願平１−４４３６４公報
【考案の概要】
【考案が解決しようとする課題】
【０００４】しかし、いずれも現在使用している机や座卓及びこたつ等の天板周辺に新たな収納や、こたつの電源などを置くことが困難である。【０００５】ここに、現在使用している机や座卓及びこたつ等の天板周辺に、簡単に挟み込んで設置する収納箱の提案する
【課題が解決するための手段】
【０００６】本公案は、前述の課題を解決するため、収納箱に天板と脚間に挟み込む板状材若しくは棒状材を装備するものである。
【図面の簡単な説明】
【０００７】
【図１】本考案全体の斜視図である。
【図２】同平面図である。
【図３】同正面図である。
【図４】同補強部分長辺断面図である。
【図５】同側面図である。
【図６】同短辺断面図
【図７】本考案一実施形態の断面図である。
【図８】本考案一実施形態の斜視図である。
【考案を実施するための形態】
【０００８】収納箱等に板状若しくは棒状材を固定する。
【考案を実施するための形態】
【０００９】以下、添付図面に従って一実施例を説明する。図１は本考案の斜視図であり、２収納箱に１板材を固定あるいは、一体とした収納箱である。本考案本体は樹脂薄板の成型加工あるいは、樹脂や金属の薄板の曲げ加工によって形成し、補強のため３補強材１及び４補強財２を設置する方法もある。また２収納箱は収納する品物の目的に応じて形状は自由である。
【００１０】本考案の使用方法としては、一例として図８に示されるように、５天板と６机脚間に１板状材を挟みこみ使用する。
【符号の説明】
【００１１】１  板状材
２  収納箱
３  補強材１
４  補強材２
５  机天板
６  机脚部
【図１】
0003175001.tif 000003
【図２】
0003175001.tif 000004
【図３】
0003175001.tif 000005
【図４】
0003175001.tif 000006
【図５】
0003175001.tif 000007
【図６】
0003175001.tif 000008
【図７】
0003175001.tif 000009
【図８】
0003175001.tif 000010
(57)【要約】      （修正有）【課題】歩行者の、袖口または手首にミラーを取り付け、振り返って確認を行うこと無く腕の操作だけで安全の確認を可能とした歩行者用のバックミラーを提供する。【解決手段】洋服の袖口または手首に、およそ３０ｍｍ角程度の大きさのミラー１を取りつける。ミラーの材料はガラス、金属あるいは化成品とする。ミラー１の取付は、クリップあるいは、バンドまたはゴムテープにミラーを組み合わせて使用する。これにより、歩行者は、振り返ることなく、前方を見たまま、腕を操作するだけで、後方の確認が可能となり、歩行者と自転車との衝突などの事故を防ぎ、通行の安全を図ることが出来る様になる。【選択図】図３
0003175008.tif 000002
【実用新案登録請求の範囲】
【請求項１】
洋服の袖口にはさむためのクリップにミラーを組み合わせて成る歩行者用のバックミラー。
【請求項２】
手首に固定が可能なバンドまたはゴムテープにミラーを組み合わせて成る歩行者用のバックミラー。
【考案の詳細な説明】
【技術分野】
【００１】本考案は歩行者の安全と便利性を図るためのものである。
【背景技術】
【００２】後方の確認のため、ミラーを使用したい。
【考案の概要】
【考案が解決しようとする課題】
【００３】歩行者と自転車との衝突を避けたい。
【課題を解決するための手段】
【００４】洋服の袖口、または手首にミラーをとりつけて、振り返って確認を行うこと無く腕の操作だけで安全の確認を可能としたい。
【考案の効果】
【００５】歩行者と自転車との衝突を避け、安全に通行ができる。
【考案を実施するための形態】
【００６】およそ３０ｍｍ角程度の大きさのミラーで後方の確認が可能で扱いも容易であり、ミラーの材料はガラスまたは金属でも化成品でも良い。
【図面の簡単な説明】
【００７】
【図１】本考案の請求項１の側面図
【図２】本考案の請求項２の側面図
【図３】請求項１を袖口に取り付けた際の実施図
【符号の説明】
【００８】１    ミラー
２    クリップ
３    ゴムテープ
【図１】
0003175008.tif 000003
【図２】
0003175008.tif 000004
【図３】
0003175008.tif 000005